(57)【要約】  本発明は、コンポーネントの電気端子として用いられるワイヤ端部（５１ａ）を備える電気的コンポーネントを収容するためのホルダ（１）に関する。ホルダは、中央部を備える本体（１０）を有し、中央部には上方に向かって開放した凹部（２）がコンポーネントを収容するために形成されている。凹部（２）の垂直側壁は上方に開放したスリット（３）を有し、このスリットはコンポーネントのワイヤ端部（５１ａ）を案内するのに適する。
2008508732.tif 000002
【特許請求の範囲】
【請求項１】
ワイヤ端部（５１ａ）をコンポーネントの電気端子として備える電気的コンポーネントを収容するためのホルダであって、
中央部を備える本体（１０）を有し、該中央部にはコンポーネントを収容するための凹部（２）が形成されており、
凹部（２）の側壁はスリット（３）を有し、該スリット（３）はコンポーネントのワイヤ端部（５１ａ）を案内するのに適し、
前記凹部（２）とスリットは、本体（１０）の同じ側に向かって開放している、ことを特徴とするホルダ。
【請求項２】
請求項１記載のホルダであって、
第１アタッチメント（１１）を有し、該第１アタッチメントはワイヤ端部（５１ａ）を巻き付けるのに適し、
該第１アタッチメント（１１）はホルダ（１）の側面に配置されているホルダ。
【請求項３】
請求項２記載のホルダであって、
第１アタッチメント（１１）の長手軸は本体（１０）の上側にある面に対して平行に延在するホルダ。
【請求項４】
請求項２または３記載のホルダであって、
第１アタッチメント（１１）はそれぞれ、本体（１０）とは反対の側にカラー（１４）を有し、
カラーの境界面は、相応する第１アタッチメント（１１）の長手軸に対して横方向に延在するホルダ。
【請求項５】
請求項２から４までのいずれか一項記載のホルダであって、
第１アタッチメント（１１）は横断面にリール体の形状を有するホルダ。
【請求項６】
請求項２から５までのいずれか一項記載のホルダであって、
第１アタッチメント（１１）には、ワイヤ端部（５１ａ）を案内するための刻み目（１３）が設けられているホルダ。
【請求項７】
請求項２から６までのいずれか一項記載のホルダであって、
第１アタッチメント（１１）の上方エッジは本体（１０）１０の上側に対して平行に延在するホルダ。
【請求項８】
請求項２から７までのいずれか一項記載のホルダであって、
本体（１０）には第２アタッチメント（１２）が形成されており、
該第２アタッチメントはスリット（３）と第１アタッチメント（１１）との間に配置されており、かつワイヤ端部（５１ａ）を案内するのに適するホルダ。
【請求項９】
請求項２から８までのいずれか一項記載のホルダであって、
スリット（３）の端部は、第１アタッチメント（１１）または第２アタッチメント（１２）の下方エッジよりも深く位置決めされているホルダ。
【請求項１０】
請求項１から９までのいずれか一項記載のホルダを備える構成素子であって、
電気的コンポーネントを有し、該電気的コンポーネントは凹部（２）の上方縁部を越えて突出しない構成素子。
【請求項１１】
請求項１０記載の構成素子であって、
ワイヤ端部（５１ａ）は、スリット（３）と該スリットに相応する第１アタッチメント（１１）との間で、本体（１０）の底面に対して実質的に平行な第２アタッチメント（１２）によって案内される構成素子。
【請求項１２】
請求項１１記載の構成素子であって、
第２アタッチメント（１２）は、それぞれのワイヤ端部（５１ａ）が上方へスリップするのを阻止する構成素子。
【請求項１３】
請求項１０から１２までのいずれか一項記載の構成素子であって、
第１アタッチメント（１１）の位置と刻み目（１３）の深さは、ワイヤ端部（５１ａ）の上方エッジが本体（１０）の上面を越えて突出し、構成素子の表面実装に適した接点（５１ｂ）を形成するように選択される構成素子。
【請求項１４】
請求項１０から１３までのいずれか一項記載の構成素子であって、
電気的コンポーネントはリングコアチョーク（５）であり、ワイヤ端部（５１ａ）はリングコアチョーク（５）のワイヤ巻線（５１）の端部である構成素子。
【請求項１５】
請求項１４記載の構成素子であって、
電気的コンポーネントは、閉じた磁気コア（５３）と２つの異なるワイヤ巻線（５１，５２）を有するリングコアチョーク（５）である構成素子。
【発明の詳細な説明】
【技術分野】
【０００１】
本発明は、電気的コンポーネント、例えばリングコアチョーク用のホルダ、並びに電気的コンポーネントとホルダを備える構成素子に関する。
【０００２】
ホルダの本体に射出されたコレクタピンないしは接続ピンを備えるリングコアチョーク用のプラスチックホルダ、およびリングコアチョークの種々のワイヤ巻線を電位分離するための装置は例えば刊行物ＤＥ３３１８５２７Ａ１、ＤＥ９４１２１０７Ｕ１およびＥＰ０４６８３１４Ｂ１から公知である。
【０００３】
刊行物ＵＳ５３０９１３０から、表面実装に適した構成素子が公知であり、この構成素子は２つのワイヤ巻線を有するリングコアチョークとホルダを備える。このホルダは、リングコアチョークが取り付けられる凹部を有する。ホルダの本体には、ワイヤ巻線のワイヤ端部を巻き付けるためのアタッチメントが設けられている。凹部の壁には開口部が設けられており、この開口部を通ってワイヤ端部はルーズに案内されている。ワイヤ端部はそれぞれのアタッチメントに固定されている。このような構成素子を製造する際には、ワイヤ端部を開口部を通して案内することを自動化するのが困難である。
【０００４】
本発明の課題は、電気的コンポーネント用のホルダを提供することであり、このホルダは相応の構成素子の完全自動化製造に適するようにする。本発明によればこの課題は、請求項１の特徴を備えたホルダによって解決される。本発明の有利な実施形態は従属請求項から得られる。
【０００５】
本発明は、コンポーネントの電気端子として用いられるワイヤ端部を備える電気的コンポーネントを収容するための電気絶縁性ホルダを提供するものである。このホルダは、中央部を備える本体を有し、この中央部にはコンポーネントを収容するための凹部が形成されている。凹部の側壁はスリットを有し、このスリットはコンポーネントのワイヤ端部を案内するのに適する。凹部もスリットも本体の同じ側に向かって開放している。この側は本体の前面として示される。
【０００６】
電気的コンポーネントのワイヤ端部を、このコンポーネントを収容する凹部のスリットに固定することの利点は、コンポーネントの種々異なるワイヤ端部間の間隔がスリットの間隔によって固定的に設定されることである。
【０００７】
本発明によるホルダは、電気的コンポーネント、例えばリングコアチョークを備える構成素子に装填することができる。電気的コンポーネントは例えば、閉じた磁気コアと、相互に分離すべき２つの異なるワイヤ巻線を有するリングコアチョークとすることができる。電気的コンポーネントは凹部に接着されるか、または鋳造される。
【０００８】
スリットは有利には長手スリットである。しかしスリットはホルダの長手軸を基準にして斜めに延在することもできる。スリットの幅はワイヤ端部の直径に依存して、有利にはワイヤ端部がその中にしっかりと保持されるように、例えば挟み込まれるように選択される。
【０００９】
凹部は有利には有底凹部である。すなわち閉鎖された底部を有する。凹部の底部は構成素子の外側に面を形成し、この面は例えば構成素子にラベル付けするために、および真空グラブにより掴み取るために利用することができる。
【００１０】
ホルダの長手軸に対して横方向の、凹部の断面は有利には電気的コンポーネントの形状に適合されている。
【００１１】
有利な変形実施例では、ホルダはワイヤ端部を巻き付けるための第１アタッチメントを有し、この第１アタッチメントはホルダの側面に配置されている。第１アタッチメントは、本体とは反対側にカラーを有する。このカラーの面は第１アタッチメントの長手軸に対して横方向に延在している。第１アタッチメントには有利には、ワイヤ端部を案内するための刻み目が設けられている。
【００１２】
ワイヤ端部を第１アタッチメントに巻き付ける際に構成素子の接点が形成され、このとき種々異なるワイヤ端部間のラスタ寸法を（別の手段によって）維持する必要はない。ここでは、例えばホルダの本体に鋳込まれた別の接続エレメント、例えばコネクタピンを省略することができる。
【００１３】
本体には、スリットと刻み目の始部との間に配置された第２アタッチメントを形成することができ、この第２アタッチメントはワイヤ端部の案内に用いられる。第２アタッチメントは、それぞれのワイヤ端部が上方へスリップするのを阻止する。
【００１４】
スリットの最深点は有利には（例えばワイヤ直径に相当する値だけ）第１または第２アタッチメントの下方エッジよりも深い。ここでワイヤ端部は、スリットとこのスリットに相応する第１アタッチメントとの間で、本体の底面に対して実質的に平行な第２アタッチメントによって案内される。
【００１５】
第１アタッチメントの位置と刻み目の深さは有利には、ワイヤ端部の上方エッジが本体の上面を越えて突出し、構成素子の表面実装に適した電気接点を形成するように選択される。ここで凹部の高さは有利には、電気的コンポーネントが凹部の上方縁部を越えて突出しないように選択される。
【００１６】
ホルダは有利にはプラスチックからなる。中央部、第１アタッチメントおよび第２アタッチメントは有利には、構成素子の一体的ケーシングないしはケーシング部分を共に形成する。
【００１７】
以下では、本発明を実施例および付属の図面に基づき詳細に説明する。なお、これらの図面には本発明の様々な実施例が概略的に示されており、縮尺どおりには描かれていない。同一部分または同機能の部分は、同一の参照記号によって示されている。
図１は、本発明のホルダを下方から見た図である。
図２Ａは、図１のホルダの正面図である。
図２Ｂは、図１，２Ａのホルダの側面図である。
図３は、ホルダを上方から見た図である。
図４は、図１から３のホルダおよびリングコアチョークを備える構成素子を下方から見た図である。
図５は、図４の構成素子の正面図である。
図６は、図４，５の構成素子を下方から見た図である。
【００１８】
図１から３には、リングコアチョークを収容するためのホルダが示されている。
【００１９】
図１は、本体１０を備えるホルダ１を示す。本体１０は中央部を有し、この中央部は電気的コンポーネント、例えばリングコアチョークを収容するために用いられる。本体１０の中央部は実質的にシリンダ状に構成されている。本体１０には４つの第１アタッチメント１１と４つの第２アタッチメント１２が形成されており、これらはそれぞれ中央部１０と結合されている。第１アタッチメント１１の長手軸は本体１０の上側に対して平行に延在する。第１アタッチメント１１は、本体１０の相互に対向する側面に配置されている。
【００２０】
アタッチメント１１（ないしは１２）は相互に鏡面対称であり、基本的に同じように構成される。以下では、１つの第１アタッチメントおよびこれに相応する１つの第２アタッチメントだけを詳細に説明する。この説明は図面に示されたすべての第１と第２アタッチメントに関連する。第１アタッチメント１１は長手部分にリール体の形状を有する。アタッチメント１１はカラー１４、並びにワイヤ端部５１ａを案内するための刻み目１３を有する。
【００２１】
本体１０の中央部の側壁にはスリット３が形成されている（図２Ａ）。スリット３は本体１０の上側に向かって開放している。凹部２も本体１０の上側に向かって開放している。
【００２２】
図２Ｂには、第１アタッチメント１１の上方エッジが本体１０の上側に対して平行に延在していることが示されている。このことによって、ホルダ１を備える構成素子には、本体１０の上側に対して平行に延在し、かつ表面実装に適した接点が製造される（図６）。
【００２３】
図４から６には、本発明のホルダ１とリングコアチョーク５を備える構成素子が示されている。リングコアチョーク５は本体１０の凹部２に接して配置されており、リングコアチョークの高さは凹部２の深さを越えない。
【００２４】
凹部２はシリンダ状に構成されている。リングコアチョーク５は閉じた磁気コア５３並びに２つのワイヤ巻線５１，５２を有する。ワイヤ巻線５１のワイヤ端部５１ａはまずスリット３に上方から案内され、次に第２アタッチメント１２の下方を第１アタッチメント１１に向かって案内される。第２アタッチメント１２は、ワイヤ端部５１ａが上方へスリップするのを阻止する。ワイヤ端部５１は第１アタッチメント１１の周囲に巻回されている。構成素子の構成素子接点５１ｂは、本体１０の上側を越えて突出するワイヤ端部１５の領域によって形成される。構成素子は導体路板上に、図６に示したその上側を以て下方に向かって、ないしは導体路板に向かって取り付けられる。構成素子接点５１ｂは、そのために設けられた導体路の端子面にハンダ付けされる。
【００２５】
ワイヤ端部５１ａは、第１アタッチメント１１を周回する際に刻み目１３に案内される。カラー１４もワイヤ端部５１ａの案内に用いられる。ワイヤ端部５１ａの一部は錫メッキされている。これは図４から６にはハッチングによって示されている。
【００２６】
図５でスリット３の深さと、第１および第２アタッチメント１１，１２の下方エッジの高さは、ワイヤ端部５１ａが、刻み目１３へのその案内部を除いて、本体１０の上側に対して実質的に平行に案内されるように選択される。スリット３の幅は、ワイヤ端部５１ａの横断面の大きさに形状結合するよう適合されている。ワイヤ端部はスリット３に有利には挟み込まれる。
【００２７】
本発明はここに示した実施例および図面に限定されるものではない。前述した要素は任意の数と任意の配置構成で相互に組合わせることも可能である。スリットは基本的に、片側が開放した別の凹部、例えばノッチまたは溝によって置換することができる。
【図面の簡単な説明】
【００２８】
【図１】図１は、本発明のホルダを下方から見た図である。
【図２Ａ】図２Ａは、図１のホルダの正面図である。
【図２Ｂ】図２Ｂは、図１，２Ａのホルダの側面図である。
【図３】図３は、ホルダを上方から見た図である。
【図４】図４は、図１から３のホルダおよびリングコアチョークを備える構成素子を下方から見た図である。
【図５】図５は、図４の構成素子の正面図である。
【図６】図６は、図４，５の構成素子を下方から見た図である。
【符号の説明】
【００２９】
１  ホルダ
１０  本体
１１  第１アタッチメント
１２  第２アタッチメント
１３  アタッチメント１１の刻み目
１４  第１アタッチメント１１のカラー
２  本体１０の凹部
３  凹部２の側壁にあるスリット
５  リングコアチョーク
５１  リングコアチョークの第１ワイヤ巻線
５１ａ  ワイヤ端部
５１ｂ  構成素子の接点
５２  リングコアチョークの第２ワイヤ巻線
５３  閉じた磁気コア
【図１】
2008508732.tif 000003
【図２Ａ】
2008508732.tif 000004
【図２Ｂ】
2008508732.tif 000005
【図３】
2008508732.tif 000006
【図４】
2008508732.tif 000007
【図５】
2008508732.tif 000008
【図６】
2008508732.tif 000009
【国際調査報告】
2008508732.tif 000010
2008508732.tif 000011
2008508732.tif 000012
2008508732.tif 000013
2008508732.tif 000014
2008508732.tif 000015